【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
印刷手段を有する画像形成装置であって、
ネットワーク上のサーバへのデータ取得要求を入力する入力手段と、
前記入力手段により入力される複数のデータ取得要求に応じて、複数のデータ取得プロセスを並行して実行することにより、ネットワーク上のサーバへアクセスし、サーバからのデータを並行して取得するデータ取得手段と、
前記データ取得手段がデータ取得プロセスを完了した場合に、印刷用データを生成し、生成された印刷用データに基づいて画像を形成する画像形成手段と、
前記データ取得手段により複数のデータを並行して取得するに際して、取得を完了したデータから前記画像形成手段により画像を逐次生成し、前記印刷手段により印刷を開始する制御手段
を具備したことを特徴とする画像形成装置。
【請求項２】
請求項１に記載の画像形成装置において、
前記サーバ上のデータに、そのデータの構成要素の一部である副データの保持されている位置を示す位置情報が含まれている場合には、その位置情報を元に前記サーバ上のデータに含まれる位置情報に示された全ての副データを前記データ取得手段により取得し、副データを含む全てのデータの取得を完了したデータから逐次前記画像形成手段により印刷用データを生成し、前記印刷手段により印刷を開始することを特徴とする画像形成装置。
【請求項３】
請求項１または請求項２に記載の画像形成装置において、さらに加えて、
データの取得完了待ち時間を設定する設定手段と、
前記設定手段によって設定された設定時間を保持する時間記憶手段と、
各データの取得開始から経過時間を計測する計測手段と、
前記時間記憶手段に記憶された設定時間と前記計測手段によって計測された経過時刻とを比較する比較手段と
を具備し、前記設定手段によってデータの取得完了待ち時間を設定し、前記時間記憶手段に前記設定手段によって設定された設定時間を記憶し、各データの取得開始から経過時間を前記計測手段によって計測し、各データの取得が完了まで前記比較手段によって前記設定時間と各データそれぞれに関して前記経過時間とを比較して前記経過時間が前記設定時間を超える場合には当該データの取得を中止することを特徴とする画像形成装置。
【請求項４】
請求項１または請求項２に記載の画像形成装置において、さらに加えて、
取得中のそれぞれのデータの取得中止を指示する指示手段を具備し、
データの取得中に前記指示手段によってデータの取得中止の指示が入力されたときには、指定されたデータの取得を中止することを特徴とする画像形成装置。
【請求項５】
請求項１〜４のいずれかに記載の画像形成装置において、
前記制御手段は、前記画像形成手段により印刷用データの生成を完了したデータから前記印刷手段により逐次印刷を開始することを特徴とする画像形成装置。
【請求項６】
印刷手段を有する画像形成装置を用いて画像を形成する方法として、
ネットワーク上のサーバへのデータ取得要求を入力する入力ステップと、
前記入力ステップにより入力される複数のデータ取得要求に応じて、複数のデータ取得プロセスを並行して実行することにより、ネットワーク上のサーバへアクセスし、サーバからのデータを並行して取得するデータ取得ステップと、
前記データ取得ステップによりデータ取得プロセスを完了した場合に、印刷用データを生成し、生成された印刷用データに基づいて画像を形成する画像形成ステップと、
前記データ取得ステップにより複数のデータを並行して取得するに際して、取得を完了したデータから前記画像形成ステップにより画像を逐次生成し、前記印刷手段により印刷を開始する制御ステップ
を具備したことを特徴とする画像形成方法。
【請求項７】
請求項６に記載の画像形成方法において、
前記サーバ上のデータに、そのデータの構成要素の一部である副データの保持されている位置を示す位置情報が含まれている場合には、その位置情報を元に前記サーバ上のデータに含まれる位置情報に示された全ての副データを前記データ取得手段により取得し、副データを含む全てのデータの取得を完了したデータから逐次前記画像形成手段により印刷用データを生成し、前記印刷手段により印刷を開始することを特徴とする画像形成方法。
【請求項８】
請求項６または請求項７に記載の画像形成方法において、さらに加えて、
データの取得完了待ち時間を設定する設定ステップと、
前記設定ステップによって設定された設定時間を保持する時間記憶ステップと、
各データの取得開始から経過時間を計測する計測ステップと、
前記時間記憶ステップに記憶された設定時間と前記計測ステップによって計測された経過時刻とを比較する比較ステップと
を具備し、前記設定ステップによってデータの取得完了待ち時間を設定し、前記時間記憶ステップに前記設定ステップによって設定された設定時間を記憶し、各データの取得開始から経過時間を前記計測ステップによって計測し、各データの取得が完了まで前記比較ステップによって前記設定時間と各データそれぞれに関して前記経過時間とを比較して前記経過時間が前記設定時間を超える場合には当該データの取得を中止することを特徴とする画像形成方法。
【請求項９】
請求項６または請求項７に記載の画像形成方法において、さらに加えて、
取得中のそれぞれのデータの取得中止を指示する指示ステップを具備し、
データの取得中に前記指示ステップによってデータの取得中止の指示が入力されたときには、指定されたデータの取得を中止することを特徴とする画像形成方法。
【請求項１０】
請求項６〜９のいずれかに記載の画像形成方法において、
前記制御ステップは、前記画像形成ステップにより印刷用データの生成を完了したデータから前記印刷手段により逐次印刷を開始することを特徴とする画像形成方法。
【請求項１１】
印刷手段を有する画像形成装置を用いて画像を形成する方法として、ネットワーク上のサーバへのデータ取得要求を入力する入力ステップと、前記入力ステップにより入力される複数のデータ取得要求に応じて、複数のデータ取得プロセスを並行して実行することにより、ネットワーク上のサーバへアクセスし、サーバからのデータを並行して取得するデータ取得ステップと、前記データ取得ステップによりデータ取得プロセスを完了した場合に、印刷用データを生成し、生成された印刷用データに基づいて画像を形成する画像形成ステップと、前記データ取得ステップにより複数のデータを並行して取得するに際して、取得を完了したデータから前記画像形成ステップにより画像を逐次生成し、前記印刷手段により印刷を開始する制御ステップを、読み出し可能なプログラムの形態で記憶したことを特徴とする記憶媒体。
【請求項１２】
請求項１１に記載の記憶媒体において、
前記サーバ上のデータに、そのデータの構成要素の一部である副データの保持されている位置を示す位置情報が含まれている場合には、その位置情報を元に前記サーバ上のデータに含まれる位置情報に示された全ての副データを前記データ取得ステップにより取得し、副データを含む全てのデータの取得を完了したデータから逐次前記画像形成ステップにより印刷用データを生成し、前記印刷手段により印刷を開始することを特徴とする記憶媒体。
【請求項１３】
請求項１１または請求項１２に記載の記憶媒体において、さらに加えて、
データの取得完了待ち時間を設定する設定ステップと、前記設定ステップによって設定された設定時間を保持する時間記憶ステップと、各データの取得開始から経過時間を計測する計測ステップと、前記時間記憶ステップに記憶された設定時間と前記計測ステップによって計測された経過時刻とを比較する比較ステップとを具備し、前記設定ステップによってデータの取得完了待ち時間を設定し、前記時間記憶ステップに前記設定ステップによって設定された設定時間を記憶し、各データの取得開始から経過時間を前記計測ステップによって計測し、各データの取得が完了まで前記比較ステップによって前記設定時間と各データそれぞれに関して前記経過時間とを比較して前記経過時間が前記設定時間を超える場合には当該データの取得を中止することを特徴とする記憶媒体。
【請求項１４】
請求項１１または請求項１２に記載の記憶媒体において、さらに加えて、
取得中のそれぞれのデータの取得中止を指示する指示ステップを具備し、データの取得中に前記指示ステップによってデータの取得中止の指示が入力されたときには、指定されたデータの取得を中止することを特徴とする記憶媒体。
【請求項１５】
請求項１１〜１４のいずれかに記載の記憶媒体において、
前記制御ステップは、前記画像形成ステップにより印刷用データの生成を完了したデータから前記印刷手段により逐次印刷を開始することを特徴とする記憶媒体。
【手続補正２】
【補正対象書類名】明細書
【補正対象項目名】００１２
【補正方法】変更
【補正の内容】
【００１２】
【課題を解決するための手段】
かかる目的を達成するために、請求項１に係る本発明は、印刷手段を有する画像形成装置であって、ネットワーク上のサーバへのデータ取得要求を入力する入力手段と、前記入力手段により入力される複数のデータ取得要求に応じて、複数のデータ取得プロセスを並行して実行することにより、ネットワーク上のサーバへアクセスし、サーバからのデータを並行して取得するデータ取得手段と、前記データ取得手段がデータ取得プロセスを完了した場合に、印刷用データを生成し、生成された印刷用データに基づいて画像を形成する画像形成手段と、前記データ取得手段により複数のデータを並行して取得するに際して、取得を完了したデータから前記画像形成手段により画像を逐次生成し、前記印刷手段により印刷を開始する制御手段を具備したものである。
請求項２に係る本発明は、請求項１に記載の画像形成装置において、前記サーバ上のデータに、そのデータの構成要素の一部である副データの保持されている位置を示す位置情報が含まれている場合には、その位置情報を元に前記サーバ上のデータに含まれる位置情報に示された全ての副データを前記データ取得手段により取得し、副データを含む全てのデータの取得を完了したデータから逐次前記画像形成手段により印刷用データを生成し、前記印刷手段により印刷を開始する。
請求項３に係る本発明は、請求項１または請求項２に記載の画像形成装置において、さらに加えて、データの取得完了待ち時間を設定する設定手段と、前記設定手段によって設定された設定時間を保持する時間記憶手段と、各データの取得開始から経過時間を計測する計測手段と、前記時間記憶手段に記憶された設定時間と前記計測手段によって計測された経過時刻とを比較する比較手段とを具備し、前記設定手段によってデータの取得完了待ち時間を設定し、前記時間記憶手段に前記設定手段によって設定された設定時間を記憶し、各データの取得開始から経過時間を前記計測手段によって計測し、各データの取得が完了まで前記比較手段によって前記設定時間と各データそれぞれに関して前記経過時間とを比較して前記経過時間が前記設定時間を超える場合には当該データの取得を中止する。
請求項４に係る本発明は、請求項１または請求項２に記載の画像形成装置において、さらに加えて、取得中のそれぞれのデータの取得中止を指示する指示手段を具備し、データの取得中に前記指示手段によってデータの取得中止の指示が入力されたときには、指定されたデータの取得を中止する。
請求項５に係る本発明は、請求項１〜４のいずれかに記載の画像形成装置において、前記制御手段は、前記画像形成手段により印刷用データの生成を完了したデータから前記印刷手段により逐次印刷を開始する。
請求項６に係る本発明は、印刷手段を有する画像形成装置を用いて画像を形成する方法として、ネットワーク上のサーバへのデータ取得要求を入力する入力ステップと、前記入力ステップにより入力される複数のデータ取得要求に応じて、複数のデータ取得プロセスを並行して実行することにより、ネットワーク上のサーバへアクセスし、サーバからのデータを並行して取得するデータ取得ステップと、前記データ取得ステップによりデータ取得プロセスを完了した場合に、印刷用データを生成し、生成された印刷用データに基づいて画像を形成する画像形成ステップと、前記データ取得ステップにより複数のデータを並行して取得するに際して、取得を完了したデータから前記画像形成ステップにより画像を逐次生成し、前記印刷手段により印刷を開始する制御ステップを具備したものである。
請求項７に係る本発明は、請求項６に記載の画像形成方法において、前記サーバ上のデータに、そのデータの構成要素の一部である副データの保持されている位置を示す位置情報が含まれている場合には、その位置情報を元に前記サーバ上のデータに含まれる位置情報に示された全ての副データを前記データ取得手段により取得し、副データを含む全てのデータの取得を完了したデータから逐次前記画像形成手段により印刷用データを生成し、前記印刷手段により印刷を開始する。
請求項８に係る本発明は、請求項６または請求項７に記載の画像形成方法において、さらに加えて、データの取得完了待ち時間を設定する設定ステップと、前記設定ステップによって設定された設定時間を保持する時間記憶ステップと、各データの取得開始から経過時間を計測する計測ステップと、前記時間記憶ステップに記憶された設定時間と前記計測ステップによって計測された経過時刻とを比較する比較ステップとを具備し、前記設定ステップによってデータの取得完了待ち時間を設定し、前記時間記憶ステップに前記設定ステップによって設定された設定時間を記憶し、各データの取得開始から経過時間を前記計測ステップによって計測し、各データの取得が完了まで前記比較ステップによって前記設定時間と各データそれぞれに関して前記経過時間とを比較して前記経過時間が前記設定時間を超える場合には当該データの取得を中止する。
請求項９に係る本発明は、請求項６または請求項７に記載の画像形成方法において、さらに加えて、取得中のそれぞれのデータの取得中止を指示する指示ステップを具備し、データの取得中に前記指示ステップによってデータの取得中止の指示が入力されたときには、指定されたデータの取得を中止する。
請求項１０に係る本発明は、請求項６〜９のいずれかに記載の画像形成方法において、前記制御ステップは、前記画像形成ステップにより印刷用データの生成を完了したデータから前記印刷手段により逐次印刷を開始する。
請求項１１に係る本発明は、印刷手段を有する画像形成装置を用いて画像を形成する方法として、ネットワーク上のサーバへのデータ取得要求を入力する入力ステップと、前記入力ステップにより入力される複数のデータ取得要求に応じて、複数のデータ取得プロセスを並行して実行することにより、ネットワーク上のサーバへアクセスし、サーバからのデータを並行して取得するデータ取得ステップと、前記データ取得ステップによりデータ取得プロセスを完了した場合に、印刷用データを生成し、生成された印刷用データに基づいて画像を形成する画像形成ステップと、前記データ取得ステップにより複数のデータを並行して取得するに際して、取得を完了したデータから前記画像形成ステップにより画像を逐次生成し、前記印刷手段により印刷を開始する制御ステップを、読み出し可能なプログラムの形態で記憶した記憶媒体である。
請求項１２に係る本発明は、請求項１１に記載の記憶媒体において、前記サーバ上のデータに、そのデータの構成要素の一部である副データの保持されている位置を示す位置情報が含まれている場合には、その位置情報を元に前記サーバ上のデータに含まれる位置情報に示された全ての副データを前記データ取得ステップにより取得し、副データを含む全てのデータの取得を完了したデータから逐次前記画像形成ステップにより印刷用データを生成し、前記印刷手段により印刷を開始する。
請求項１３に係る本発明は、請求項１１または請求項１２に記載の記憶媒体において、さらに加えて、データの取得完了待ち時間を設定する設定ステップと、前記設定ステップによって設定された設定時間を保持する時間記憶ステップと、各データの取得開始から経過時間を計測する計測ステップと、前記時間記憶ステップに記憶された設定時間と前記計測ステップによって計測された経過時刻とを比較する比較ステップとを具備し、前記設定ステップによってデータの取得完了待ち時間を設定し、前記時間記憶ステップに前記設定ステップによって設定された設定時間を記憶し、各データの取得開始から経過時間を前記計測ステップによって計測し、各データの取得が完了まで前記比較ステップによって前記設定時間と各データそれぞれに関して前記経過時間とを比較して前記経過時間が前記設定時間を超える場合には当該データの取得を中止する。
請求項１４に係る本発明は、請求項１１または請求項１２に記載の記憶媒体において、さらに加えて、取得中のそれぞれのデータの取得中止を指示する指示ステップを具備し、データの取得中に前記指示ステップによってデータの取得中止の指示が入力されたときには、指定されたデータの取得を中止する。
請求項１５に係る本発明は、請求項１１〜１４のいずれかに記載の記憶媒体において、前記制御ステップは、前記画像形成ステップにより印刷用データの生成を完了したデータから前記印刷手段により逐次印刷を開始する。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】